(57)【要約】【課題】ＣＳＳ方式の著作権保護技術を採用したＤＶＤ−Ｖｉｄｅｏ形式で記録された情報を、既存の情報記録及び／又は再生装置で再生可能な、追記型又は書き換え型の光情報記録媒体を提供することを目的とする。【解決手段】案内溝が形成された基板上に記録層を有し、前記記録層にレーザ光が照射されることにより情報が再生及び／又は記録される光情報記録媒体であって、既記録部分を再生する際の、プッシュプル信号振幅が所定の値未満である第１の領域と、前記プッシュプル信号振幅が前記所定の値以上である第２の領域と、を有することを特徴とする。【選択図】図２
2009116947.tif 000002
【特許請求の範囲】
【請求項１】
案内溝が形成された基板上に記録層を有し、前記記録層にレーザ光が照射されることにより情報が再生及び／又は記録される光情報記録媒体であって、
既に記録されている部分を再生する際の、プッシュプル信号振幅が所定の値未満である第１の領域と、前記プッシュプル信号振幅が前記所定の値以上である第２の領域と、を有することを特徴とする光情報記録媒体。
【請求項２】
前記所定の値は、０．２５であることを特徴とする請求項１記載の光情報記録媒体。
【請求項３】
前記第１の領域の前記プッシュプル信号振幅は、０．１０以上であることを特徴とする請求項１又は２記載の光情報記録媒体。
【請求項４】
前記第１の領域にある前記案内溝の深さは、前記第２の領域にある前記案内溝の深さよりも浅いことを特徴とする請求項１乃至３の何れか一項記載の光情報記録媒体。
【請求項５】
前記第１の領域にある前記案内溝は蛇行してなく、前記第２の領域にある前記案内溝は蛇行していることを特徴とする請求項１乃至４の何れか一項記載の光情報記録媒体。
【請求項６】
案内溝が形成された基板上に記録層を有し、前記記録層にレーザ光が照射されることにより情報が再生及び／又は記録される光情報記録媒体であって、
前記案内溝が蛇行していない第１の領域と、前記案内溝が蛇行している第２の領域と、を有することを特徴とする光情報記録媒体。
【請求項７】
前記第１の領域は、半径２４ｍｍから半径３５ｍｍまでの範囲を含む領域であることを特徴とする請求項１乃至６の何れか一項記載の光情報記録媒体。
【請求項８】
前記光情報記録媒体は、ユーザデータが記録されるユーザデータ領域を有し、前記ユーザデータ領域の開始半径位置である２４ｍｍから半径位置３５ｍｍまでの領域に前記ユーザデータが記録された場合は、更に半径位置３５ｍｍから、半径位置４５ｍｍ以上最大５８ｍｍまでの領域にダミーデータが記録されることを特徴とする請求項１乃至７の何れか一項記載の光情報記録媒体。
【請求項９】
記録後の反射率が１８％以上７０％以下であることを特徴とする請求項１乃至８の何れか一項記載の光情報記録媒体。
【発明の詳細な説明】
【技術分野】
【０００１】
本発明は、レーザ光で再生及び／又は記録可能な光情報記録媒体に関する。
【背景技術】
【０００２】
情報を記録する、色素や無機材料を用いた記録層に、レーザ光を照射してピットやマークを形成し、その有無による光学特性差を利用して記録及び／又は再生する追記型（Ｗｒｉｔｅ ｏｎｃｅ型）光情報記録媒体の最近の動向として、波長４０５ｎｍの青紫色レーザを用いて記録及び／又は再生する片面１層で容量１５ＧＢ、片面２層で容量３０ＧＢのＨＤ ＤＶＤ−Ｒや片面１層で容量２５ＧＢ、片面２層で容量５０ＧＢのＢＤ（Ｂｌｕ−ｒａｙ Ｄｉｓｃ）−ＲというＤＶＤよりも大容量の光情報記録媒体が市場に登場した。
【０００３】
一方、非晶質相と結晶相の可逆的相変化による光学特性の違いを利用した書き換え型（Ｒｅｗｒｉｔａｂｌｅ型）光情報記録媒体においても、片面１層で容量２５ＧＢ、片面２層で容量５０ＧＢのＢＤ（Ｂｌｕ−ｒａｙ Ｄｉｓｃ）−ＲＥが市場に登場した。地上波放送のディジタル方式への全面切り替えが進む中、高画質のコンテンツを記録するためにＤＶＤよりも大容量の光情報記録媒体が今後要求される。しかし、波長４０５ｎｍの青紫色レーザを用いて記録及び／又は再生するブルー世代のメディア、システム（レコーダ、ＰＣ用ドライブ）の本格的な普及には、まだ時間がかかると予想され、ＤＶＤ、特にＤＶＤ±Ｒなどの追記型の光情報記録媒体をはじめ、ＤＶＤ±ＲＷなどの書き換え型の光情報記録媒体は今後も使用され、すぐにＢＤ（Ｂｌｕ−ｒａｙ Ｄｉｓｃ）などの大容量光情報記録媒体に置き換わることはないと考えられる。
【０００４】
ところで、記録型ＤＶＤは、ＶｉｄｅｏコンテンツであればＣＰＲＭ、ＶＣＰＳ方式という著作権保護技術により、一回のみのコピーが認められるが、その媒体を用いて異なる媒体にはコピーできないようになっている。また、映画コンテンツの記録に対応したＤＶＤ−Ｖｉｄｅｏ形式では、カジュアルコピーを防止するために、ＣＳＳ方式と呼ばれる著作権保護技術が採用されている。ＣＳＳ方式では、コンテンツをタイトル鍵で暗号化し、そのタイトル鍵はディスク鍵で暗号化され、ディスク鍵は、機器が内部に秘密に持つマスタ鍵により暗号化され記録される。また、各マスタ鍵で暗号化された暗号化ディスク鍵セットは、ユーザがアクセスをすることのできない光情報記録媒体内周部にあるリードイン領域に厳重に管理される。
【０００５】
従って、ユーザが、例えばＤＶＤ±Ｒなどの追記型の光情報記録媒体やＤＶＤ±ＲＷなどの書き換え型の光情報記録媒体にＣＳＳ方式で暗号化されたコンテンツをコピーしようとしても、リードイン領域に記録されている暗号化されたディスク鍵セットはコピーされず、コンテンツの暗号を解読することができないため、映像としてみることはできない。
【０００６】
また、何らかの方法により、リードイン領域に記録されている暗号化されたディスク鍵セットがコピーされたとしても、ＤＶＤプレーヤ、ＤＶＤレコーダ、ＤＶＤドライブなどの既存の情報記録及び／又は再生装置では、通常、光情報記録媒体の挿入時に実行される、光情報記録媒体の種類を判別する判別手段を有しており、そもそもＤＶＤ±Ｒなどの追記型の光情報記録媒体や、ＤＶＤ±ＲＷなどの書き換え型の光情報記録媒体は、前記判別手段により「ＤＶＤ−ＲＯＭ」と認識されないため、コンテンツの暗号を解読するステップに至らず、コンテンツを映像として見ることはできない。
【０００７】
昨今、インターネットの普及と通信速度の高速化が進み、ディジタル音声やディジタル映像などのコンテンツ配信サービスも提案されており、ディジタル音声やディジタル映像などのコンテンツをダウンロードし、記録型媒体に記録することも可能である（例えば、特許文献１、２参照）。
【０００８】
また、映像コンテンツをダウンロードし、ダウンロードした映像コンテンツを、ＣＳＳ方式を採用したＤＶＤ−Ｖｉｄｅｏフォーマットで、例えばＤＶＤ±Ｒなどの追記型の光情報記録媒体やＤＶＤ±ＲＷなどの書き換え型の光情報記録媒体に記録する事業が検討されている。この場合、映像コンテンツのダウンロードは無料ではなく、課金することで映像コンテンツを購入し、専用の記録装置で光情報記録媒体に記録するが、事業を普及させる観点からは、映像コンテンツが記録された光情報記録媒体は専用の装置で再生するのではなく、既に広く普及しているＤＶＤプレーヤ、ＤＶＤレコーダ、ＤＶＤドライブなどの既存の情報記録及び／又は再生装置で再生できることが望ましい。
【特許文献１】特開２００２−０７３０４７号公報
【特許文献２】特開２００２−１２３７００号公報
【発明の開示】
【発明が解決しようとする課題】
【０００９】
しかしながら、前述のように、ＣＳＳ方式を採用したＤＶＤ−Ｖｉｄｅｏ形式で、例えばＤＶＤ±Ｒなどの追記型の光情報記録媒体やＤＶＤ±ＲＷなどの書き換え型の光情報記録媒体に記録された情報は、ＤＶＤプレーヤ、ＤＶＤレコーダ、ＤＶＤドライブなどの既存の情報記録及び／又は再生装置では、「ＤＶＤ−ＲＯＭ」と認識されないため、暗号解読ができず、再生することができないという問題があった。
【００１０】
本発明は、上記に鑑みてなされたもので、ＣＳＳ方式の著作権保護技術を採用したＤＶＤ−Ｖｉｄｅｏ形式で記録された情報を、既存の情報記録及び／又は再生装置で再生可能な、追記型又は書き換え型の光情報記録媒体を提供することを目的とする。
【課題を解決するための手段】
【００１１】
上記目的を達成するため、第１の発明は、案内溝が形成された基板上に記録層を有し、前記記録層にレーザ光が照射されることにより情報が再生及び／又は記録される光情報記録媒体であって、既に記録されている部分を再生する際の、プッシュプル信号振幅が所定の値未満である第１の領域と、前記プッシュプル信号振幅が前記所定の値以上である第２の領域と、を有することを特徴とする。
【００１２】
第２の発明は、第１の発明に係る光情報記録媒体において、前記所定の値は、０．２５であることを特徴とする。
【００１３】
第３の発明は、第１又は第２の発明に係る光情報記録媒体において、前記第１の領域の前記プッシュプル信号振幅は、０．１０以上であることを特徴とする。
【００１４】
第４の発明は、第１乃至第３の何れか一に記載の発明に係る光情報記録媒体において、前記第１の領域にある前記案内溝の深さは、前記第２の領域にある前記案内溝の深さよりも浅いことを特徴とする。
【００１５】
第５の発明は、第１乃至第４の何れか一に記載の発明に係る光情報記録媒体において、前記第１の領域にある前記案内溝は蛇行してなく、前記第２の領域にある前記案内溝は蛇行していることを特徴とする。
【００１６】
第６の発明は、案内溝が形成された基板上に記録層を有し、前記記録層にレーザ光が照射されることにより情報が再生及び／又は記録される光情報記録媒体であって、前記案内溝が蛇行していない第１の領域と、前記案内溝が蛇行している第２の領域と、を有することを特徴とする。
【００１７】
第７の発明は、第１乃至第６の何れか一に記載の発明に係る光情報記録媒体において、前記第１の領域は、半径２４ｍｍから半径３５ｍｍまでの範囲を含む領域であることを特徴とする。
【００１８】
第８の発明は、第１乃至第７の何れか一に記載の発明に係る光情報記録媒体において、前記光情報記録媒体は、ユーザデータが記録されるユーザデータ領域を有し、前記ユーザデータ領域の開始半径位置である２４ｍｍから半径位置３５ｍｍまでの領域に前記ユーザデータが記録された場合は、更に半径位置３５ｍｍから、半径位置４５ｍｍ以上最大５８ｍｍまでの領域にダミーデータが記録されることを特徴とする。
【００１９】
第９の発明は、第１乃至第８の何れか一に記載の発明に係る光情報記録媒体において、記録後の反射率が１８％以上７０％以下であることを特徴とする。
【発明の効果】
【００２０】
本発明によれば、ＣＳＳ方式の著作権保護技術を採用したＤＶＤ−Ｖｉｄｅｏ形式で記録された情報を、既存の情報記録及び／又は再生装置で再生可能な、追記型又は書き換え型の光情報記録媒体を提供することができる。
【発明を実施するための最良の形態】
【００２１】
以下、図面を参照して、本発明を実施するための最良の形態の説明を行う。
【００２２】
記録型ＤＶＤ媒体には、追記型（Ｗｒｉｔｅ ｏｎｃｅ型）としては、ＤＶＤ−Ｒ、ＤＶＤ＋Ｒがあり、更に、ＤＶＤ−Ｒ、ＤＶＤ＋Ｒには１層（ＳＬ）の媒体と片面２層（ＤＬ）の媒体があり、共に市場に導入されている。一方、書き換え型（Ｒｅｗｒｉｔａｂｌｅ型）としては、ＤＶＤ−ＲＷ、ＤＶＤ＋ＲＷ、ＤＶＤ−ＲＡＭがあり、いずれも１層（ＳＬ）の媒体のみが市場に導入されており、片面２層（ＤＬ）の媒体は、開発はされているが市場には導入されていない。
【００２３】
ＤＶＤ−Ｒ／−ＲＷ及びＤＶＤ＋Ｒ／＋ＲＷは、ＤＶＤ−ＲＯＭと物理フォーマットがほぼ同じであるため、ＤＶＤ−ＲＯＭとの互換性が良い。従って、本発明に係るＤＶＤプレーヤ、ＤＶＤレコーダ、ＤＶＤドライブなどの既存の情報記録及び／又は再生装置で再生可能な、追記型又は書き換え型の光情報記録媒体は、ＤＶＤ−Ｒ／＋Ｒ及びＤＶＤ−ＲＷ／＋ＲＷの規格に近いものが、互換性の点で望ましい。又、ＤＶＤ＋Ｒ／＋ＲＷ規格では、データの基本ブロックであるＥＣＣブロックは繋ぎ目がない構造になっており、記録ピットあるいは記録マークが連続的に記録されるため、よりＤＶＤ−ＲＯＭとの互換性は良い。
【００２４】
ＤＶＤ−ＲＯＭ規格では、半径２４ｍｍの位置から半径５８ｍｍの位置までがユーザデータ領域である。記録に必要な最小限の領域は半径３５ｍｍの位置までであり、半径２４ｍｍの位置から半径３５ｍｍの位置までは必ずデータが記録されていなければならない。また、ユーザデータ領域の外側にリードアウト領域が幅０．５ｍｍ以上設けられる。また、ユーザデータ領域の内側である半径２２．６ｍｍの位置から半径２４ｍｍの位置までにリードイン領域と呼ばれる領域があり、再生装置に必要なディスクの互換性や、再生条件などの情報（ディスク製造メーカやコピー関連用の情報もある）が入っている。
【００２５】
これらの情報はコントロールデータとして、ユーザデータ領域が開始される半径２４ｍｍの位置の内側に１７．５トラックから約１０５トラックにわたって書かれる。その中に、物理フォーマット情報として、規格書のどのタイプのどのバージョンのディスクか、ディスクのサイズ、ポータブルプレーヤを意図した最大転送レート情報、層数、トラックパス方向、全面ＲＯＭかパーシャルＲＯＭか、記録線密度、トラック密度、スタートセクタナンバーとエンドセクタナンバーなどの情報が書けるようになっている。コントロールデータの更に内側約１６トラックから２ブロックにわたって、イコライザのキャリブレーション用のリファレンスコードが記録されており、その更に内側の半径２２．６ｍｍの位置までは、全て'０'のデータが記録される。
【００２６】
記録型ＤＶＤ規格であるＤＶＤ−Ｒ／−ＲＷ及びＤＶＤ＋Ｒ／＋ＲＷには、Ｐｈｙｓｉｃａｌ Ｉｎｆｏｒｍａｔｉｏｎ ａｒｅａと呼ばれる領域がある。この領域は、ＤＶＤ−ＲＯＭのコントロールデータと同様の情報が記録されており、規格も同一である。また、それより内側に、記録型媒体特有の記録レーザパワーの校正領域（ＰＣＡ：Ｐｏｗｅｒ Ｃａｌｉｂｒａｔｉｏｎ Ａｒｅａ）や記録装置にとって必要な記録管理情報（記録ストラテジー、最適記録パワー、消去パワーなど)が記録される領域がある。その更に内側の半径２２mmの位置までは、全て'０'のデータが記録される。
【００２７】
このように、ＤＶＤ−Ｒ／−ＲＷ及びＤＶＤ＋Ｒ／＋ＲＷは、ＤＶＤプレーヤ、ＤＶＤレコーダ、ＤＶＤドライブなどの既存の情報記録及び／又は再生装置で再生する際に問題がないように、ＤＶＤ−ＲＯＭとの互換性が考慮された構造になっている。
【００２８】
ＤＶＤプレーヤ、ＤＶＤレコーダ、ＤＶＤドライブなどの既存の情報記録及び／又は再生装置は、前述のように光情報記録媒体が挿入された際に、挿入され光情報記録媒体の種類（再生専用（ＲＯＭ）タイプか、記録型（±Ｒ、±ＲＷ）タイプか等）を判別する光情報記録媒体判別手段を有する。
【００２９】
リードイン領域にあるコントロールデータに、媒体のタイプがＲＯＭ、Ｒｅｃｏｒｄａｂｌｅ、Ｒｅｗｒｉｔａｂｌｅのいずれかであることが情報として入っているが、この情報のみで光情報記録媒体のタイプを判別する可能性は低い。なぜなら、この情報を正確に読み出すためには、フォーカスサーボ、トラッキングサーボなどを正しく動作させなくてならないが、そのためには、サーボエラー信号生成などの都合上、サーボを動作させる前にあらかじめ光情報記録媒体の種類を知る必要があるからである。サーボを動作させる前にあらかじめ光情報記録媒体の種類を知るための、光情報記録媒体判別手段は、具体的には以下のように実現されている。
【００３０】
ＤＶＤ−Ｒ／−ＲＷ及びＤＶＤ＋Ｒ／＋ＲＷの記録型光情報記録媒体には、物理的な特徴である案内溝が存在し、その案内溝は一定周波数のｗｏｂｂｌｅと呼ばれる蛇行した形状をとる。周知のように、ＤＶＤ−Ｒ／−ＲＷ及びＤＶＤ＋Ｒ／＋ＲＷの記録型光情報記録媒体に、上記案内溝があることにより、情報記録及び／又は再生装置が、フォーカスサーボのみを実行した場合に、十分な大きさの振幅を有するプッシュプル信号が得られる。図１は、プッシュプル信号について説明するための図である。図１において、１はレーザ光、２はＰＤ(フォトダイオード)、３は差信号、４は和信号を示している。
【００３１】
情報記録及び／又は再生装置の構成要素である光学ヘッドには、図１（ａ）に示すように、レーザ光１を電気信号に変換する、例えばａ、ｂ、ｃ、ｄの4つの領域に分割された構造のＰＤ(フォトダイオード)２が搭載されている。ａ、ｂ、ｃ、ｄの4つの領域に集光されたレーザ光１は、それぞれ、電気信号Ｖａ、Ｖｂ、Ｖｃ、Ｖｄに変換され、ＲＦ信号処理ＩＣ等により、図１（ｂ）に示すような差信号３及び和信号４が生成される。ここで、差信号３がプッシュプル信号であり、Ｖｐｐをプッシュプル信号振幅という。なお、図１（ｂ）において、縦軸は電圧、横軸は時間である。
【００３２】
本明細書、特許請求の範囲、図面でいうプッシュプル信号振幅は、全て、図１（ｂ）に示すＶｐｐを意味する。すなわち、差信号３の振幅（ａ．ｃ．成分）が、和信号４のｄ．ｃ．成分で規格化されたものである。プッシュプル信号振幅の定義及び規格値は、ＤＶＤ−Ｒ／−ＲＷ及びＤＶＤ＋Ｒ／＋ＲＷなどの光情報記録媒体の各規格書で規定されている。
【００３３】
一方、再生専用の光情報記録媒体であるＤＶＤ−ＲＯＭは、係る案内溝を有していない（当然、一定周波数のｗｏｂｂｌｅも存在しない）ため、フォーカスサーボのみを実行した場合にも、十分な大きさのプッシュプル信号振幅は得られない。この性質を利用し、情報記録及び／又は再生装置に光情報記録媒体が挿入された際に、フォーカスサーボのみを実行し、検出されるプッシュプル信号振幅の大小を所定の基準値と比較することで、前述の光情報記録媒体判別手段を実現できる。
【００３４】
又、ＤＶＤ−Ｒ／−ＲＷ及びＤＶＤ＋Ｒ／＋ＲＷの光情報記録媒体では、フォーカスサーボとトラッキングサーボを実行すると、高周波数の正弦波状のｗｏｂｂｌｅ信号が検出される。一方、ＤＶＤ−ＲＯＭは、案内溝を有さずｗｏｂｂｌｅも存在しないため、フォーカスサーボとトラッキングサーボを実行してもｗｏｂｂｌｅ信号が検出されない。この性質を利用し、情報記録及び／又は再生装置に光情報記録媒体が挿入された際に、フォーカスサーボとトラッキングサーボを実行し、高周波数の正弦波状のｗｏｂｂｌｅ信号が検出されるか否かで、挿入された光情報記録媒体の種類を判別することもできる。市販の情報記録及び／又は再生装置においては、プッシュプル信号振幅の検出による情報記録媒体判別手段と、ｗｏｂｂｌｅ信号の検出による情報記録媒体判別手段とを併用しており、何れかの情報記録媒体判別手段において'所定の条件'が満たされれば、「ＤＶＤ−ＲＯＭ」と判断される場合が多い。
【００３５】
本発明に係る光情報記録媒体は、ＣＳＳ方式で暗号化された映像コンテンツがダウンロードされ、記録された後（リードインに記録される暗号化されたディスク鍵セットも含めて適法に記録された後）、ＤＶＤプレーヤ、ＤＶＤレコーダ、ＤＶＤドライブなどの既存の情報記録及び／又は再生装置に挿入された際に、係る装置が有する光情報記録媒体の種類を判別する判別手段において、「ＤＶＤ−ＲＯＭ」と認識されることを特徴としている。
【００３６】
すなわち、記録型の光情報記録媒体であっても、プッシュプル信号振幅やｗｏｂｂｌｅ信号の有無が、'所定の条件'を満たせば、ＤＶＤプレーヤ、ＤＶＤレコーダ、ＤＶＤドライブなどの既存の情報記録及び／又は再生装置が有する前述の光情報記録媒体判別手段で、「ＤＶＤ−ＲＯＭ」と認識され、ＤＶＤ−ＲＯＭを再生するための動作が実行される。従って、ＤＶＤ−Ｖｉｄｅｏフォーマットで規定されているＣＳＳ方式の著作権保護技術を用いて映像コンテンツが記録された記録可能な光情報記録媒体であっても、ＤＶＤプレーヤ、ＤＶＤレコーダ、ＤＶＤドライブなどの既存の情報記録及び／又は再生装置で通常のＤＶＤ−ＲＯＭを再生した場合と同様に、コンテンツの暗号を解読することができ、映像を見ることができる。
【００３７】
本発明に係る光情報記録媒体においては、ＤＶＤプレーヤ、ＤＶＤレコーダ、ＤＶＤドライブなどの既存の情報記録及び／又は再生装置に挿入された際に、判別手段に「ＤＶＤ−ＲＯＭ」と認識させるために、以下に述べるような方法で、光情報記録媒体に用いられる基板の条件を、既存のＤＶＤ−Ｒ／−ＲＷ及びＤＶＤ＋Ｒ／＋ＲＷと異なる'所定の条件'にすることで、プッシュプル信号振幅やｗｏｂｂｌｅ信号の有無に関する特性を、ＤＶＤ−ＲＯＭに近いものにする。
【００３８】
記録可能な光情報記録媒体であっても、既存の情報記録及び／又は再生装置で「ＤＶＤ−ＲＯＭ」と認識されるための、プッシュプル信号振幅やｗｏｂｂｌｅ信号の有無に関する'所定の条件'を実現する方法について述べる。
【００３９】
ＤＶＤ＋Ｒの場合、一層型（ＳＬ）の案内溝の深さは１２０ｎｍ〜１７０ｎｍ、案内溝幅は０．２３μｍから０．２７μｍ、ｗｏｂｂｌｅ振幅は２４ｎｍ〜３６ｎｍ、ｗｏｂｂｌｅの周波数は８１０ＫＨｚである。一方、ＤＶＤ＋ＲＷの場合、一層型（ＳＬ）の案内溝の深さは１５ｎｍ〜３５ｎｍ、案内溝幅は０．２３μｍから０．２７μｍ、ｗｏｂｂｌｅ振幅は２４ｎｍ〜３６ｎｍ、ｗｏｂｂｌｅの周波数は８１０ＫＨｚである。更に、ＤＶＤ＋Ｒの二層型（ＤＬ）の場合は、入射光側の記録層（以下、Ｌ０層と言う）に用いる基板の案内溝深さは１５０ｎｍ〜１８０ｎｍ、案内溝幅は０．２３μｍから０．２７μｍ、奥側の記録層（以下、Ｌ１層と言う）の基板の案内溝深さは３３ｎｍから４０ｎｍ、案内溝幅は０．２３μｍから０．２７μｍである。これらの条件は、従来のＤＶＤ＋Ｒ／＋ＲＷの条件である。
【００４０】
これら条件で作製した光情報記録媒体の案内溝特性であるプッシュプル信号振幅の規格書による規格値は、記録前はＤＶＤ＋Ｒの一層型（ＳＬ）では０．２８以上０．６０以下、ＤＶＤ＋Ｒの二層型（ＤＬ）ではＬ０層で０．２８以上０．６０以下、Ｌ１層で０．３０以上０．６０以下である。ＤＶＤ＋ＲＷの場合、記録前で０．２８以上０．５６以下である。一方、記録後のプッシュプル信号振幅は、ＤＶＤ＋Ｒでは０．３０以上０．８０以下、ＤＶＤ＋ＲＷでは０．２５以上０．５６以下である。
【００４１】
このプッシュプル信号振幅を上記、規格値の下限（０．２５）より小さくすれば、光情報記録媒体の判別手段において、「ＤＶＤ−ＲＯＭ」と認識させることができる。具体的に、プッシュプル信号振幅を、規格値の下限（０．２５）より小さくする方法を以下に説明する。記録した後のプッシュプル信号振幅が現行規格（０．２５）より小さいことが重要で、記録前は規格内であることが最も好ましい。フォーカスサーボ、トラッキングサーボが情報記録及び／又は再生装置で問題なく実行できることが望ましいからである。しかし、記録装置は確実にトラッキングできる専用装置を用いることもできるので、記録前のプッシュプル信号振幅が規格値より小さくても構わない。
【００４２】
書き換え型の光情報記録媒体の場合、プッシュプル信号振幅を小さくするためには、案内溝深さをより浅くするか、案内溝幅をより広くすることが必要である。例えば、案内溝深さが２７ｎｍで記録前のプッシュプル信号振幅が０．３１とした場合、案内溝深さを２０ｎｍまで浅くすると記録前のプッシュプル信号振幅は０．１９になる。記録した後のプッシュプル信号振幅はほとんど同じか、それより１０％程度下がる。一方、案内溝幅を広くする場合もプッシュプル信号振幅は小さくなる傾向にあるが案内溝深さを変えるよりは変化が小さい。よりプッシュプル信号振幅を小さくするためには、案内溝深さを浅くし、更に案内溝幅を広げることが好ましい。
【００４３】
追記型の光情報記録媒体の場合も同様に案内溝深さを浅くすることにより、プッシュプル信号振幅を小さくすることが可能である。しかし、案内溝深さを浅くすることにより記録前、すなわちピット形成前のプッシュプル信号振幅は確実に下がるが、ピット形成後はプッシュプル信号振幅が大きくなる場合がある。従って、記録後のプッシュプル信号振幅を十分低くするためには、記録前のプッシュプル信号振幅は更に小さくしておく必要がある。ただし、プッシュプル信号は、トラッキングサーボ等に使用する信号なので、プッシュプル信号振幅が小さすぎるとトラッキングサーボ等が正常に動作しないおそれがある。そのような状況を回避するためには、プッシュプル信号振幅が０．１０以上であることが必要である。
【００４４】
ｗｏｂｂｌｅ信号が検出されるか否で、光情報記録媒体判別手段を実現している情報記録及び／又は再生装置に対応するためには、記録型の光情報記録媒体に存在するｗｏｂｂｌｅ信号を検出しないように、ｗｏｂｂｌｅを案内溝に形成しない、いわゆるストレート溝（蛇行していない案内溝）にする方法が考えられる。前述の所定の領域において、基板に形成される案内溝をストレート溝とすることで、光情報記録媒体判別手段に「ＤＶＤ−ＲＯＭ」と判別させることができる。この場合、プッシュプル信号振幅が規格値内の値となるように案内溝は深くしておいてもよい。
【００４５】
次に、図２を参照しながら'所定の条件'とすべき領域について説明する。図２は、本発明に係る光情報記録媒体及び既存のＤＶＤ−ＲＯＭの構造を示す図であり、本発明に係る光情報記録媒体及び既存のＤＶＤ−ＲＯＭのディスク中の一部分を抜き出して、ユーザデータ領域等が、どの半径位置に対応しているのかを示す図である。図２において、１０は本発明に係る光情報記録媒体、１１は本発明に係る光情報記録媒体のコントロールトラック領域、１２は本発明に係る光情報記録媒体のユーザデータ領域、１３は本発明に係る光情報記録媒体の必ず'所定の条件'とすべき領域、１４は、本発明に係る光情報記録媒体の'所定の条件'とするのが好ましい領域、２０は既存のＤＶＤ−ＲＯＭ、２１は既存のＤＶＤ−ＲＯＭのコントロールトラック領域、２２は既存のＤＶＤ−ＲＯＭのユーザデータ領域、２３は既存のＤＶＤ−ＲＯＭの必ずデータが記録されている領域である。
【００４６】
本発明に係る光情報記録媒体１０においては、ＤＶＤ−Ｒ／−ＲＷ及びＤＶＤ＋Ｒ／＋ＲＷと同様に、半径２２ｍｍの位置がリードイン領域の開始する半径位置になる。一方、既存のＤＶＤ−ＲＯＭ２０では、半径２２．６ｍｍの位置がリードイン領域の開始する半径位置になる。本発明に係る光情報記録媒体１０においては、ＤＶＤ−Ｒ／−ＲＷ及びＤＶＤ＋Ｒ／＋ＲＷと同様に、内周の半径２２ｍｍの位置から、記録マークあるいはピットを所定の位置に記録するために、案内溝が形成されている。更に、情報の記録及び／又は再生に必要なアドレス番号（物理セクター番号）を案内溝に設定するために、案内溝を一定周波数の蛇行溝（ｗｏｂｂｌｅを案内溝に形成する）とした上で、更に位相反転させた部分を設け、この反転部の数の組み合わせで番号を設定する。これをＡＤＩＰ（ａｄｄｒｅｓｓ ｉｎ ｐｒｅｇｒｏｏｖｅ）と呼ぶ。ＡＤＩＰ領域以外は、一定周波数の蛇行溝になっている。
【００４７】
既存のＤＶＤ−ＲＯＭ２０の場合は、ピットが既に形成されているので案内溝という構造はもたない。トラッキングはこのピット列を用いて行う。記録型の光情報記録媒体と再生専用型の光情報記録媒体との明らかな違いである。本発明に係る光情報記録媒体１０においては、ＤＶＤ−Ｒ／−ＲＷ及びＤＶＤ＋Ｒ／＋ＲＷと同様に、リードイン開始領域のＡＤＩＰには記録に必要な記録パワー、レーザ光の発光パターン（記録ストラテジー）の条件、ドライブ（情報記録及び／又は再生装置）が最適記録条件を求めるために必要な条件、媒体のタイプ、記録線速度などの条件が、信頼性を高めるために、繰り返し入れられている。
【００４８】
前記条件が繰り返し入れられているのは、半径２２ｍｍの位置から半径２３．１８６ｍｍの位置までの領域である。この領域には、前述のような非常に重要な情報が入っていることから、この領域の案内溝及びＡＤＩＰ、単調蛇行溝（ｗｏｂｂｌｅ）は、安定して再生できるような条件になっていることが必要である。従って、この領域は、従来と同じ条件にするべきであり、'所定の条件'にすることは好ましくない。
【００４９】
基板の全領域について、既存のＤＶＤ−Ｒ／−ＲＷ及びＤＶＤ＋Ｒ／＋ＲＷと異なる'所定の条件'にする必要はない。なぜなら、既存の情報記録及び／又は再生装置において、判別手段が光情報記録媒体の種類の判別を実行する領域は、所定の領域に限定されているからである。本発明に係る光情報記録媒体１０においては、判別手段に「ＤＶＤ−ＲＯＭ」と判別させればよいので、前記所定の領域についてのみ'所定の条件'にすればよい。
【００５０】
既存の情報記録及び／又は再生装置において、判別手段が光情報記録媒体の種類の判別を実行する所定の領域は、既存のＤＶＤ−ＲＯＭ２０におけるユーザデータ領域の中で必ずデータが記録されている領域である半径２４ｍｍの位置から半径３５ｍｍの位置までの領域である。データが記録されていない領域で判別すると誤判別のおそれがあるからである。従って、半径２４ｍｍの位置から半径３５ｍｍの位置までの領域（図２における１３）において、基板条件を'所定の条件'にすればよい。
【００５１】
なお、基板の全領域について、'所定の条件'としても、本発明の目的は達成できるが、サーボの安定性などの観点からすると、既存の情報記録及び／又は再生装置において、判別手段が光情報記録媒体の種類の判別を実行する領域（図２における１３）でのみ、基板条件を、既存のＤＶＤ−Ｒ／−ＲＷ及びＤＶＤ＋Ｒ／＋ＲＷとは異なりＤＶＤ−ＲＯＭに近い'所定の条件'にし、他の領域は、既存のＤＶＤ−Ｒ／−ＲＷ及びＤＶＤ＋Ｒ／＋ＲＷと同一の基板条件としておく方が望ましい。ただし、既存の情報記録及び／又は再生装置において、サーボ制御のばらつきなどにより、本来判別手段が光情報記録媒体の種類の判別を実行すべき領域を超えて、判別が実行される可能性もあるため、最低限、半径２４ｍｍの位置から半径３５ｍｍの位置までの領域（図２における１３）を含み、それよりも更に広い領域において、基板条件を'所定の条件'にしておく方がより望ましい。
【００５２】
又、光情報記録媒体における、ユーザデータ領域の開始半径位置である２４ｍｍから半径位置３５ｍｍまでの領域にユーザデータが記録された場合には、更に半径位置３５ｍｍから、半径位置４５ｍｍ以上最大５８ｍｍまでの領域（基板条件を'所定の条件'とした領域）にダミーデータを記録しておくことが望ましい。基板条件を'所定の条件'とした領域全体を、記録後の状態とするためである。なお、データの内容は問題とならないため、記録するのはどのようなデータであっても構わない。
【００５３】
前述のように、半径２２ｍｍの位置から半径２３．１８６ｍｍの位置までの領域には、非常に重要な情報が入っていることから、この領域は、従来と同じ条件にするべきであり、'所定の条件'にすることは好ましくない。この点を考慮すれば、所定の領域は、最低限半径２４ｍｍの位置から半径３５ｍｍの位置までの領域（図２における１３）を含む必要があるが、余裕を考慮して、例えば、前記領域をカバーする、半径２３．１８６ｍｍの位置から半径４５ｍｍの位置までの領域（図２における１４）とすることができる。
【００５４】
〈実施例１〉
厚さが０．６ｍｍのポリカーボネート製のプラスチック基板を用い、半径２２．０ｍｍの位置から半径２３．１８６ｍｍの位置までの領域、及び、半径４５ｍｍの位置から半径５８．５ｍｍの位置までの領域の案内溝深さを２７ｎｍとし、かつ一定周波数８１０ＫＨｚのｗｏｂｂｌｅ案内溝を形成した基板を作製した。このｗｏｂｂｌｅ溝には、更に正弦波状に変化している領域の位相を反転させ、この反転領域の組み合わせで、アドレス情報、媒体情報（製造メーカー、製造メーカーのコード番号）、記録及び／又は再生条件に関する情報などを繰り返し入れた。
【００５５】
ここで２３．１８６ｍｍは、特定半径位置を指し、特定の物理セクター番号のある半径位置を指している。半径２３．１８６ｍｍの位置から半径４５ｍｍの位置までの領域を特定半径領域と呼ぶ（図２における、本発明に係る光情報記録媒体１０の'所定の条件'とするのが好ましい領域１４に相当する）。特定半径領域の案内溝深さは、特定半径領域を除く領域の案内溝深さ２７ｎｍよりも浅い１７ｎｍとした。特定半径領域のプッシュプル信号振幅を、特定半径領域を除く領域のプッシュプル信号振幅よりも小さくするためである。なお、トラックピッチは、０．７４μｍである。
【００５６】
この基板を用いて相変化記録層を有する書き換え型の光情報記録媒体を作製した。スパッタリング装置により、下部保護層としてＺｎＳＳｉＯ２、膜厚５８ｎｍ、界面層としてＳｉＯ２、膜厚２ｎｍ、相変化記録層としてＧａＳｂＳｎＧｅ、膜厚１５ｎｍ、上部保護層としてＺｎＳＳｉＯ２、膜厚７ｎｍ、上部第２保護層としてＴｉＣＯ、膜厚６ｎｍ、反射層としてＡｇ、２００ｎｍを順に積層した。これら各層は所定の組成に調整したスパッタリング装置用ターゲットを用いて成膜し、組成比は順にＺｎＳ：ＳｉＯ２＝８０：２０（ｍｏｌ％）、ＳｉＯ２、Ｇａ：Ｓｂ：Ｓｎ：Ｇｅ＝５：７０：１７：８（ｗｔ％）、ＺｎＳ：ＳｉＯ２＝８０：２０（ｍｏｌ％）、ＴｉＯ２：ＴｉＣ＝３０：７０（ｗｔ％）、Ａｇである。
【００５７】
次に、厚さ６μｍの紫外線硬化型樹脂を介して、別のポリカーボネート基板と貼り合わせた。作製した光情報記録媒体の記録層を結晶化させるために初期化装置と呼ばれる装置を用いて結晶化を行った。ここで、波長６５０ｎｍ，開口率（ＮＡ）０．６５のピックアップヘッドを搭載した情報記録及び／又は再生装置を用いて、半径２２．５ｍｍの位置の反射率を測定したところ２３．７％であった。次に、浅い案内溝になっている特定半径領域に含まれる半径３０ｍｍの位置の反射率を測定したところ２５％であった。いずれもＤＶＤ−ＲＯＭの片面２層記録媒体の反射率規格１８％を満足していた。また、半径２２．５ｍｍの位置（特定半径領域外）のプッシュプル信号振幅は０．３２、浅い案内溝になっている特定半径領域に含まれる半径３０ｍｍの位置のプッシュプル信号振幅は０．２２であった。
【００５８】
この光情報記録媒体に、専用記録装置を用いて、ＣＳＳコンテンツを記録する。専用記録装置は、半径２２ｍｍ以降のｗｏｂｂｌｅ部に記録されている記録及び／又は再生条件、媒体情報を読み取り、更に特定半径領域より外側のｗｏｂｂｌｅ部に記録されているＣＳＳメディアＫｅｙ Ｂｌｏｃｋを読み取り、コントロールデータ部の案内溝に記録する。記録される領域は、特定半径領域よりも内周側であり、その部分の案内溝は深く、十分なプッシュプル信号振幅が得られるので、安定して再生することが可能である。また、ここでトラッキングが安定にかかれば、途中から案内溝が浅くなり、プッシュプル信号振幅が小さくなっても、スパイラル状の案内溝に沿ってトラックを送ることは可能である。
【００５９】
記録は、（８−１６）変調を使用し、内周（２４ｍｍ〜３５ｍｍ）を３．２４倍速（１１．３ｍ／ｓ）、中周（３５ｍｍ〜４７ｍｍ）を６倍速（２０．９ｍ／ｓ）、外周（４７ｍｍ〜５８ｍｍ）を８倍速で記録した。各線速での最適記録パワー／最適消去パワーは３０ｍＷ／６．５ｍＷ（３．２４倍速）、３４ｍＷ／７．４ｍＷ（６倍速）、３５ｍＷ／７．６ｍＷ（８倍速）である。半径２２．５ｍｍ（特定半径領域外）、及び、コンテンツが記録された領域である半径３０ｍｍ（特定半径領域）のプッシュプル信号振幅は、それぞれ０．３１、及び０．２０であった。すなわち、特定半径領域以外の領域のプッシュプル信号振幅は０．２５以上、記録後の特定半径領域のプッシュプル信号振幅は０．２５未満であり、所望の光情報記録媒体が実現できた。
【００６０】
市販されているＤＶＤ−ＲＯＭ  ｐｌａｙｅｒ（Ａ−Ｆ）及びパソコン用ＤＶＤ  ｄｒｉｖｅ（Ｇ−Ｋ）で再生状況を確認した。なお、この光情報記録媒体のコントロールデータ部に記録される、媒体の種類を示すビットセッティングはＤＶＤ−ＲＯＭとしてある。表１は、市販されているＤＶＤ−ＲＯＭ  ｐｌａｙｅｒ（Ａ−Ｆ）及びパソコン用ＤＶＤ  ｄｒｉｖｅ（Ｇ−Ｋ）で再生状況を確認した結果を示す表である。表１において、○の部分は問題なく再生できたことを示しており、△の部分は再生前にトレーに媒体をセットした段階で認識されなかった場合を示している。表1に示すように、ＤＶＤ−ＲＯＭ  ｐｌａｙｅｒの約８０％、パソコン用ＤＶＤ  ｄｒｉｖｅの６０％については、問題なく再生することができ、多くの場合に、既存の情報記録及び／又は再生装置で再生できることが確認された。
【００６１】
【表１】
2009116947.tif 000003
このように、本発明の実施例１によれば、特定半径領域の記録後のプッシュプル信号振幅を０．２５未満とすることにより、既存の情報記録及び／又は再生装置の光情報記録媒体判別手段において、「ＤＶＤ−ＲＯＭ」と判別されるため、ＣＳＳ方式の著作権保護技術を採用したＤＶＤ−Ｖｉｄｅｏ形式で記録された情報を、既存の情報記録及び／又は再生装置で再生可能な追記型の光情報記録媒体を実現することができる。
【００６２】
〈実施例２〉
厚さが０．６ｍｍのポリカーボネート製のプラスチック基板を用い、半径位置が、２２．０ｍｍ〜２３．１８６ｍｍ（特定半径位置）までの案内溝深さを１５５ｎｍとし、特定半径位置から半径位置４５ｍｍまでの特定半径領域の案内溝深さを１０５ｎｍとし、特定半径領域より更に外側の５８．５ｍｍまでの案内溝深さを１５５ｎｍとした基板を作製した。また、一定周波数８１０ＫＨｚのｗｏｂｂｌｅ案内溝を形成した。案内溝幅は、０．２５μｍとした。トラックピッチは、０．７４μｍである。
【００６３】
この基板上に、化１に示す構造式で表されるスクアリリウム色素と山田化学社製色素ＦＹ４３（混合比７：３）の１．０重量％のオクタフルオロペンタノール溶液を、案内溝深さ１５１ｎｍ、案内溝幅０．２９８μｍ、トラックピッチ０．７４μｍの螺旋状案内溝を有するポリカーボネート基板にスピンコートし、１００℃のオーブンで１５分乾燥させることにより、記録層を形成した。この上に、スパッタリングにより厚さ１２０ｎｍのＡｇ層を形成して反射層とし、更に紫外線硬化樹脂を６μｍの厚さにスピンコートして保護層とした。保護層の上にカチオン系遅延硬化樹脂を３００メッシュのスクリーン印刷法で塗布し、同様にして作製したディスクと対向させて貼り合わせ、追記型の光情報記録媒体を作製した。
【００６４】
【化１】
2009116947.tif 000004
作製した光情報記録媒体に、専用記録装置を用いて、ＣＳＳコンテンツを記録した。記録は、（８−１６）変調を使用し、記録パワーは４３ｍＷで、半径位置２４ｍｍでは線速６．６倍速（２３．１ｍ／ｓ）で、再外周の半径位置５８ｍｍでは１６倍速（５５．８ｍ／ｓ）で記録した。記録前の、半径位置２２．５ｍｍ（特定半径領域外）でのプッシュプル信号振幅は０．３３であり、半径位置３５ｍｍ（特定半径領域：案内溝深さが浅い場所）でのプッシュプル信号振幅は０．１４であった。又、記録後の半径位置２２．５ｍｍ（特定半径領域外）、及び、半径位置３５ｍｍでのプッシュプル信号振幅はそれぞれ０．３６、０．２３であった。記録後のプッシュプル信号振幅は上昇していたが、特定半径領域のプッシュプル信号振幅は０．２５未満であった。すなわち、特定半径領域以外の領域のプッシュプル信号振幅は０．２５以上、記録後の特定半径領域のプッシュプル信号振幅は０．２５未満であり、所望の光情報記録媒体が実現できた。なお、コンテンツ記録領域の反射率は４９％であった。
【００６５】
実施例１で用いたものと同じＤＶＤ−ＲＯＭ  ｐｌａｙｅｒ（Ａ−Ｆ）及びパソコン用ＤＶＤ  ｄｒｉｖｅ（Ｇ−Ｋ）で再生状況を確認した。なお、この光情報記録媒体のコントロールデータ部に記録される、媒体の種類を示すビットセッティングはＤＶＤ−ＲＯＭとしてある。表２は、市販されているＤＶＤ−ＲＯＭ  ｐｌａｙｅｒ（Ａ−Ｆ）及びパソコン用ＤＶＤ  ｄｒｉｖｅ（Ｇ−Ｋ）で再生状況を確認した結果を示す表である。表２において、○の部分は問題なく再生できたことを示しており、△の部分は再生前にトレーに媒体をセットした段階で認識されなかった場合を示している。表２に示すように、ＤＶＤ−ＲＯＭ  ｐｌａｙｅｒの１００％、パソコン用ＤＶＤ  ｄｒｉｖｅの６０％については、問題なく再生することができ、多くの場合に、既存の情報記録及び／又は再生装置で再生できることが確認された。
【００６６】
【表２】
2009116947.tif 000005
このように、本発明の実施例２によれば、特定半径領域の記録後のプッシュプル信号振幅を０．２５未満とすることにより、既存の情報記録及び／又は再生装置の光情報記録媒体判別手段において、「ＤＶＤ−ＲＯＭ」と判別されるため、ＣＳＳ方式の著作権保護技術を採用したＤＶＤ−Ｖｉｄｅｏ形式で記録された情報を、既存の情報記録及び／又は再生装置で再生可能な追記型の光情報記録媒体を実現することができる。
【００６７】
〈実施例３〉
厚さが０．６ｍｍのポリカーボネート製のプラスチック基板を用い、案内溝深さを３５ｎｍ、案内溝幅を０．２５μｍとし、半径２２ｍｍ〜特定半径位置２３．１８６ｍｍまでをｗｏｂｂｌｅ溝、特定半径位置より外側の４５ｍｍまで（特定半径領域）をｗｏｂｂｌｅなしのストレート溝（案内溝は蛇行してない）とし、更にその外側５８．５ｍｍまでをｗｏｂｂｌｅ溝とした基板を作製した。トラックピッチは、０．７４μｍである。
【００６８】
この上に、Ａｇ―Ｉｎ（０．５ｗｔ％）合金、膜厚１２０ｎｍ、Ｉｎ２Ｏ３：ＺｎＯ：ＳｎＯ２：Ｔａ２Ｏ５＝７．５：２２．５：６０：１０（ｍｏｌ％）、膜厚１５ｎｍ、スクアリリウム色素９９重量％、シアニン色素１重量％を混合して、スピンコートし、１００℃のオーブンで１５分乾燥させることにより、記録層を形成した。更にその上にＺｎＳを１２ｎｍの膜厚で作製した。これをＬ１層と呼ぶ。
【００６９】
次に、厚さが０．６ｍｍのポリカーボネート製のプラスチック基板を用い、案内溝深さを３５ｎｍ、案内溝幅を０．２５μｍとし、半径２２ｍｍ〜特定半径位置２３．１８６ｍｍまでｗｏｂｂｌｅ溝、特定半径位置より外側の４５ｍｍまでをｗｏｂｂｌｅなしのストレート溝とした基板を作製した。更にその外側５８．５ｍｍまでをｗｏｂｂｌｅ溝とし、その上にスクアリリウム７７重量％、ホルマザン２３重量％（山田化学  ＲＦ０１）を混合して、スピンコートし、１００℃のオーブンで１５分乾燥させた。
【００７０】
次にＡｇ−Ｉｎ（０．５重量％）を９ｎｍの膜厚で作製した。これをＬ０層と呼ぶ。このＬ０、Ｌ１層を日本化薬社製の紫外線硬化型樹脂ＤＶＤ８０２をスピンコートして硬化させ、５０μｍの厚さで貼り合わせた。これで片面２層の追記型の光情報記録媒体が完成した。半径位置３０ｍｍでのＬ０、Ｌ１各層の反射率は、２１％、１８％であった。プッシュプル信号振幅は、それぞれ０．３１、０．３４であった。この光情報記録媒体を記録線速４倍速（１４ｍ／ｓ）で記録した。
【００７１】
実施例１で用いたものと同じＤＶＤ−ＲＯＭ  ｐｌａｙｅｒ（Ａ−Ｆ）及びパソコン用ＤＶＤ  ｄｒｉｖｅ（Ｇ−Ｋ）で再生状況を確認した。なお、この光情報記録媒体のコントロールデータ部に記録される、媒体の種類を示すビットセッティングはＤＶＤ−ＲＯＭとしてある。表３は、市販されているＤＶＤ−ＲＯＭ  ｐｌａｙｅｒ（Ａ−Ｆ）及びパソコン用ＤＶＤｄｒｉｖｅ（Ｇ−Ｋ）で再生状況を確認した結果を示す表である。表３において、○の部分は問題なく再生できたことを示しており、△の部分は再生前にトレーに媒体をセットした段階で認識されなかった場合を示している。表３に示すように、ＤＶＤ−ＲＯＭ  ｐｌａｙｅｒの１００％、パソコン用ＤＶＤ  ｄｒｉｖｅの６０％については、問題なく再生することができ、多くの場合に、既存の情報記録及び／又は再生装置で再生できることが確認された。
【００７２】
【表３】
2009116947.tif 000006
このように、本発明の実施例３によれば、特定半径領域において、ｗｏｂｂｌｅなしのストレート溝（案内溝は蛇行してない）を形成することにより、既存の情報記録及び／又は再生装置の光情報記録媒体判別手段において、「ＤＶＤ−ＲＯＭ」と判別されるため、ＣＳＳ方式の著作権保護技術を採用したＤＶＤ−Ｖｉｄｅｏ形式で記録された情報を、既存の情報記録及び／又は再生装置で再生可能な片面２層の追記型の光情報記録媒体を実現することができる。
【００７３】
以上、本発明の好ましい実施の形態及び実施例について詳説したが、本発明は、上述した実施の形態及び実施例に制限されることはなく、本発明の範囲を逸脱することなく、上述した実施の形態及び実施例に種々の変形及び置換を加えることができる。
【００７４】
例えば、実施例１〜３において、特定半径領域の記録後のプッシュプル信号振幅を０．２５未満とし、更に、特定半径領域において、ｗｏｂｂｌｅなしのストレート溝（案内溝は蛇行してない）を形成するようにしても構わない。
【００７５】
又、実施例２においては、特定半径領域の記録後のプッシュプル信号振幅を０．２５未満とすることを、１層の追記型の光情報記録媒体に適用する例について説明したが、片面２層の追記型の光情報記録媒体に適用しても構わない。
【００７６】
又、実施例３においては、特定半径領域においてｗｏｂｂｌｅのないストレート溝（案内溝は蛇行してない）を、片面２層の追記型の光情報記録媒体に適用する例について説明したが、１層の追記型の光情報記録媒体、書き換え可能型の光情報記録媒体に適用しても構わない。
【図面の簡単な説明】
【００７７】
【図１】プッシュプル信号について説明するための図である。
【図２】本発明に係る光情報記録媒体及び既存のＤＶＤ−ＲＯＭの構造を示す図である。
【符号の説明】
【００７８】
１  レーザ光
２  ＰＤ(フォトダイオード)
３  差信号
４  和信号
１０  本発明に係る光情報記録媒体
１１  本発明に係る光情報記録媒体のコントロールトラック領域
１２  本発明に係る光情報記録媒体のユーザデータ領域
１３  本発明に係る光情報記録媒体の必ず'所定の条件'とすべき領域
１４  本発明に係る光情報記録媒体の'所定の条件'とするのが好ましい領域
２０  既存のＤＶＤ−ＲＯＭ
２１  既存のＤＶＤ−ＲＯＭのコントロールトラック領域
２２  既存のＤＶＤ−ＲＯＭのユーザデータ領域
２３  既存のＤＶＤ−ＲＯＭの必ずデータが記録されている領域
【図１】
2009116947.tif 000007
【図２】
2009116947.tif 000008